(57)【特許請求の範囲】
【請求項１】
第１の開口を有し、該第１の開口に対向する第１の底面の外側に傾斜面又は湾曲面を有し、該傾斜面又は湾曲面に内側に凹んだ凹部を複数有し、該凹部の第２の底面に孔が設けられている筐体において、
各凹部の周面は、該凹部の第２の開口の周縁部に対して傾斜しており、
前記周面の前記周縁部に対する勾配は、前記周面の周方向位置に対応し、前記第２の開口と前記第２の底面との距離が短いほど、大きいことを特徴とする筐体。
【請求項２】
前記第２の底面は前記第１の開口の面に略平行であることを特徴とする請求項１に記載の筐体。
【請求項３】
前記第２の開口の面及び第２の底面は、矩形状をなすことを特徴とする請求項２に記載の筐体。
【請求項４】
表示部と、
該表示部を覆う請求項１から３までのいずれか一項に記載の筐体と
を備えることを特徴とする表示装置。
【請求項５】
請求項４に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、電気機器等の発熱体から生じる熱を放熱する放熱孔を有する筐体、該筐体と表示部とを備える表示装置、該表示装置を備えるテレビジョン受信機に関する。
【背景技術】
【０００２】
近年、液晶表示装置等の表示装置の性能、品位が向上し、外観的にも薄型化、軽量化、狭額縁化が進行している。液晶表示装置は、テレビジョン受信機（以下、ＴＶ受信機という）の映像表示装置として幅広く用いられている。液晶表示装置は、自己発光型のデバイスとは異なり、光源としてのバックライトを必要とし、液晶の電気光学特性により決まる光透過率を制御して映像を表示する。
【０００３】
バックライトにはエッジライト方式（サイドライト方式、導光板方式）と直下型方式とがある。近年、液晶表示装置の薄型化、軽量化、狭額縁化を実現するために、エッジライト方式が広く採用されている。
エッジライト方式のバックライトを備える液晶表示装置の場合、矩形箱状をなすシャーシに、矩形状をなす導光板、光学シート、及びＬＥＤ基板を収納してバックライトユニットが構成される。ＬＥＤ基板は、細長い基板の平面に、複数のＬＥＤを実装してなる。
バックライトユニットが片側のエッジライト型である場合、ＬＥＤ基板は導光板の一方の長側面側に配され、両側のエッジライト型である場合、ＬＥＤ基板は導光板の両方の長側面側に配される。
【０００４】
縦姿勢に配したバックライトユニットの正面に矩形板状をなす液晶表示パネル（以下、表示パネルという）を配し、表示パネルの正面縁部及び側面をフロントキャビネットで覆い、バックライトユニットの背面を矩形箱状をなすリアキャビネット（筐体）で覆うことにより、液晶表示装置が得られる。液晶表示装置において、ＬＥＤから発光し、導光板の長側面に入射した光は導光板の主面から出射して、表示パネルの背面を照射する。
【０００５】
以上のように構成された液晶表示装置においては、ＬＥＤ基板の配置部等で集中的に熱が発生する。筐体内に熱が籠もった場合、内部の部品に不具合が生じる虞があるため、筐体の背面に孔を設けて放熱する必要がある。近年、大画面化、高精細化のためＬＥＤの投入電力が増加し、発熱量が増えたため、放熱性の重要度が増している。
【０００６】
特許文献１には、放熱のために、リアキャビネットの底面に長方形状をなす孔を複数設ける場合に、孔の下面を、内側から外側に傾斜したテーパ状に形成することが開示されている。
特許文献１に係る発明の場合、水の内部への浸入が抑制されているが、孔の内側の上下方向長さが外側の上下方向長さより短くなっており、放熱効率が悪く、外観が悪いという問題があった。
【０００７】
近年、液晶表示装置を薄型化するために、リアキャビネットの箱深さを浅くしている。同じ薄さでもリアキャビネットの形状によって受ける印象が大きく異なり、より薄く見えるものが好まれる。
リアキャビネットをより薄く見せるために、最薄部と最厚部とを曲面又は傾斜面で結ぶデザインが採用されている。
しかし、リアキャビネットの傾斜部分等に、傾斜方向に延び、ＬＥＤ基板等からの熱を放熱する孔を設ける場合、平面部分に設ける場合と同様に面方向に延びるように設けることにすると、天面側から水をこぼしたときに表示装置の内部に水が浸入する虞があり、故障及び発火の原因となることがあるという問題があった。
【０００８】
リアキャビネットの背面の平面部分ではなく、傾斜部分に孔を設ける場合に、天面側からの水の浸入を防止するために、従来、傾斜部分に内側に凹んだ凹部を設け、その底面に孔を設けることもなされていた。しかし、この場合、以下のように、凹部の底面から筐体の外面までの距離（深さ）が、凹部の周面の周方向位置によって異なるので、凹部の底面又は開口面の横幅が上下方向に不均一になるという問題があった。
【０００９】
図１１は従来の液晶表示装置のリアキャビネットの背面の傾斜部分の一部を示す正面図、図１２はリアキャビネットの傾斜部分の一部を示す模式的斜視図、図１３Ａは傾斜部分に形成された凹部の正面図、図１３Ｂは図１３ＡのＢ−Ｂ線断面図、図１３Ｃは図１３ＡのＣ−Ｃ線断面図、図１３Ｄは図１３ＡのＤ−Ｄ線断面図である。
リアキャビネット９は背面に傾斜部分を有し、傾斜部分には、内側に凹んだ凹部９１が横方向に複数並設されている。凹部９１は開口面が横幅が均一である矩形状をなし、側面は開口周縁部に対して傾斜したテーパ状をなしている。そして、凹部９１の底面には孔９１ａ，９１ｂ，９１ｃが縦方向に並設されている。
【００１０】
凹部９１は、開口周縁部の周方向の各位置から底面の縁部に向けて、一定の角度で傾斜している。この傾斜は、成型用金型からの抜き出しのために設けた抜き勾配である。図１３に示すように、凹部９１の側面の開口周縁部に対する勾配が側面の周方向位置に対して一定であるので、底面と開口周縁部との深さ方向の距離が大きくなる程、孔の横幅が短くなる。すなわち、孔９１ａ側から孔９１ｃ側へ向けて漸次的に底面の横幅が小さくなり、底面が台形状になる。従って、孔９１ｃ側の放熱効果が低減する。そして、開口面が、横幅が均一である矩形状をなすのに対し、上述のように底面が台形状であるので、リアキャビネット９の外観が悪い。
【００１１】
図１４Ａは他の構成の凹部を示す正面図、図１４Ｂは図１４ＡのＢ−Ｂ線断面図、図１４Ｃは図１４ＡのＣ−Ｃ線断面図、図１４Ｄは図１４ＡのＤ−Ｄ線断面図である。
凹部９２の底面は、横幅が均一である矩形状をなしている。凹部９２は、底面の縁部から開口周縁部に向けて一定の角度で抜き勾配を取るように構成された金型を用いて形成されており、底面の縁部に対する側面の勾配が側面の周方向位置に対して一定であるので、凹部９２の底面と開口周縁部との深さ方向の距離が大きくなる程、開口の横幅が大きくなる。すなわち、孔９２ａ側から孔９２ｃ側へ向けて漸次的に開口の横幅が大きくなり、開口面が台形状になる。底面が、横幅が均一である矩形状をなすのに対し、開口面が台形状をなすので、外観が悪くなるとともに、凹部９２を横方向に並設する場合にピッチを大きく取る必要が生じ、放熱効果が低減する。
【先行技術文献】
【特許文献】
【００１２】
【特許文献１】特開平１０−２２９５３０号公報
【発明の概要】
【発明が解決しようとする課題】
【００１３】
以上のように、凹部９１の場合、底面の横幅が漸次的に小さくなり、凹部９２の場合、開口面が台形状をなし、長方形の場合と比較して凹部９２の横方向の並設ピッチが大きくなり、凹部９２を多数並設することができず、いずれの場合も放熱効率が悪いという問題があった。
凹部の底面又は開口面が台形状をなす場合、外観が悪くなる。また、横方向に並ぶ凹部の底面及び開口面の形状及び大きさが不均一になる場合も外観が悪くなる。
そして、傾斜部分又は湾曲部分を避けて孔を設けるということも考えられるが、この場合、孔を設ける範囲が制限されることになり、放熱効率が悪くなる。
【００１４】
本発明は斯かる事情に鑑みてなされたものであり、水の浸入を抑制しつつ、底面の傾斜面又は湾曲面に設ける凹部の底面及び開口面の形状を同一にすることができ、凹部を一定のピッチで多数並設することができ、凹部の配置の自由度が高いことと相まって放熱効率が良好であり、かつ外観が良好である筐体、該筐体を備える表示装置、及び該表示装置を備えるテレビジョン受信機を提供することを目的とする。
【課題を解決するための手段】
【００１５】
本発明に係る筐体は、第１の開口を有し、該第１の開口に対向する第１の底面の外側に傾斜面又は湾曲面を有し、該傾斜面又は湾曲面に内側に凹んだ凹部を複数有し、該凹部の第２の底面に孔が設けられている筐体において、各凹部の周面は、該凹部の第２の開口の周縁部に対して傾斜しており、前記周面の前記周縁部に対する勾配は、前記周面の周方向位置に対応し、前記第２の開口と前記第２の底面との距離が短いほど、大きいことを特徴とする。  
【００１６】
本発明に係る筐体は、前記第２の底面は前記第１の開口の面に略平行であることを特徴とする。
【００１７】
本発明に係る筐体は、前記第２の開口の面及び第２の底面は、矩形状をなすことを特徴とする。
【００１８】
本発明に係る表示装置は、表示部と、該表示部を覆う上述のいずれかの筐体とを備えることを特徴とする。
【００１９】
本発明に係るテレビジョン受信機は、上述の表示装置と、テレビジョン放送を受信する受信部とを備え、前記受信部にて受信したテレビジョン放送に基づいて、前記表示装置に映像を表示するようにしてあることを特徴とする。
【発明の効果】
【００２０】
本発明によれば、凹部の底面及び開口面の形状を同一にすることができる。従って、凹部の底面から開口面に向けて均一に放熱することができる。また、凹部の底面及び開口面の形状及び大きさを、横方向に並設する凹部間で均一にすることができ、並設ピッチを均一にすることができ、凹部を多数設けることができる。
そして、凹部の形状、大きさ、ピッチを最適化することができ、凹部の配置の自由度が高いことと相まって、放熱効率を向上させることができる。
さらに、凹部の形状、大きさ等を均一にできるので、外観が良好である。また、一方向に傾斜する傾斜面のみならず、複雑な形状をなす湾曲面に対しても凹部の底面及び開口面の形状を崩すことなく、凹部を設けることができるので、より薄型感が得られる筐体を設計することができる。
【図面の簡単な説明】
【００２１】
【図１】本発明の実施の形態に係るＴＶ受信機を模式的に示す斜視図である。
【図２】ＴＶ受信機の正面図である。
【図３】ＴＶ受信機の側面図である。
【図４】ＴＶ受信機の裏面図である。
【図５】ＴＶ受信機が備えるリアキャビネットを示す一部拡大裏面図である。
【図６】ＴＶ受信機の一部拡大側面図である。
【図７】ＴＶ受信機のリアキャビネットの一部断面図である。
【図８】凹部を示す模式的斜視図である。
【図９】凹部の模式的断面図である。
【図１０】図１０Ａは凹部の正面図、図１０Ｂは図１０ＡのＢ−Ｂ線断面図、図１０Ｃは図１０ＡのＣ−Ｃ線断面図、図１０Ｄは図１０ＡのＤ−Ｄ線断面図である。
【図１１】従来の液晶表示装置のリアキャビネットの背面の傾斜部分の一部を示す正面図である。
【図１２】リアキャビネットの傾斜部分の一部を示す模式的斜視図である。
【図１３】図１３Ａは傾斜部分に形成された凹部の正面図、図１３Ｂは図１３ＡのＢ−Ｂ線断面図、図１３Ｃは図１３ＡのＣ−Ｃ線断面図、図１３Ｄは図１３ＡのＤ−Ｄ線断面図である。
【図１４】図１４Ａは他の構成の凹部を示す正面図、図１４Ｂは図１４ＡのＢ−Ｂ線断面図、図１４Ｃは図１４ＡのＣ−Ｃ線断面図、図１４Ｄは図１４ＡのＤ−Ｄ線断面図である。
【発明を実施するための形態】
【００２２】
以下、本発明をその実施の形態を示す図面に基づいて具体的に説明する。
図１は本発明の実施の形態に係るＴＶ受信機１を模式的に示す斜視図、図２はＴＶ受信機１の正面図、図３はＴＶ受信機１の側面図、図４はＴＶ受信機１の裏面図、図５はＴＶ受信機１が備えるリアキャビネット４を示す一部拡大裏面図、図６はＴＶ受信機１の一部拡大側面図、図７はＴＶ受信機１のリアキャビネット（筐体）４の一部断面図である。
ＴＶ受信機１は、表示パネル３１及びバックライトユニット（不図示）を含み、横長の直方体状であり、縦置きにされた表示モジュール３と、表示モジュール３の正面縁部及び側面を覆うフロントキャビネット２と、表示モジュール３の背面を覆うリアキャビネット４と、表示モジュール３を支持するスタンド６と、アンテナ（不図示）から放送波を受信するチューナ（受信部）７と、符号化された放送波を復号するデコーダ８とを備える。
【００２３】
表示モジュール３のバックライトユニットは矩形箱状をなすシャーシに、矩形板状をなす導光板、光学シート、及びＬＥＤ基板を収納してなる。ＬＥＤ基板は、細長い矩形板状をなす基板の平面に、複数のＬＥＤを実装してなる。導光板がシャーシの底板に載置され、ＬＥＤ基板が導光板の上側の長側面側に配されている。シャーシの底板の外面には、上述のチューナ７及びデコーダ８等を実装したメイン基板が設けられており、メイン基板はカバーで覆われている。導光板に光学シートが載置され、光学シートに表示パネル３１が載置されて表示モジュール３が構成されている。
フロントキャビネット２は例えばアルミニウム製であり、横長の矩形枠状をなす。
【００２４】
図７に示すように、リアキャビネット４は例えば合成樹脂製であり、開口（第１の開口）４ａ、これに対向する底面（第１の底面）４ｂ、及び底面４ｂに周設された側面４ｃとを有する箱状をなす。
図３及び図６に示すように、リアキャビネット４の底面の上端部から高さ方向の略５分の１下側までの間には、開口４ａに対し傾斜した傾斜部分（傾斜面）５３と、傾斜部分５３に連なり、緩やかに湾曲した湾曲部分（湾曲面）５４とが設けてある。
そして、リアキャビネット４の横方向中央部の下寄りには、小箱状のカバー部５１が突設されている。
傾斜部分５３は表示モジュール３のＬＥＤ基板に対向し、カバー部５１は前記メイン基板に対向するように配置されている。
【００２５】
リアキャビネット４は、一方の短辺側（図２の右側）に、入力端子、出力端子、アンテナ入力端子、ＵＳＢ端子、ヘッドホン端子、及びＢ−ＣＡＳカード挿入口等が設けられた２つの端子パネル５２を備える。
そして、リアキャビネット４は、傾斜部分５３及び湾曲部分５４、他方の短辺側の中央部、カバー部５１の上部の一側方、カバー部５１の下方の両側、及びカバー部５１の中央部下寄りにそれぞれ、放熱部４０、４６、４７、４８，４９、５０を有する。各放熱部４０、４６、４７、４８，４９、５０は、内側に凹んだ凹部を縦横に複数有し、各凹部の底面（第２の底面）には複数の孔が設けられている。
【００２６】
図５及び図７に示すように、放熱部４０には、傾斜部分５３の上端部より少し下側の位置から下方向に順に、内側に凹み、正面視が矩形状をなす凹部４１、４２、４３、４４、４５が設けられている。凹部４１、４２、４３、４４、４５の長さは、この順に短い、すなわち、凹部の長さは傾斜方向に沿って次第に長くなっている。そして、各凹部４１、４２、４３、４４、４５は横方向に複数並設されている。
【００２７】
凹部４１の底面には、長方形状をなす孔４１ａ，４１ｂが設けられ、凹部４１の内壁の下面は上面より奥行き長さが長くなっており、側面は略台形状をなす。孔４１ａ，４１ｂの長さは等しい。凹部４１の側面は抜き勾配を有し、この勾配の開口（第２の開口）４１ｃの周縁部に対する角度は、後述する凹部４３と同様に、下方向に漸次的に小さくなっている。この結果、後述するように、凹部４１の底面及び開口４１ｃの面の横幅は均一になり、底面及び開口面ともに長方形状をなしている。
【００２８】
凹部４１から下方向に少し間隔を隔てて、凹部４２が設けられている。凹部４２の底面には孔４１ａと長さが等しい孔４２ａ，４２ｂが設けられている。凹部４２の側面の開口４２ｃの周縁部に対する勾配は、凹部４３と同様に、下方向に漸次的に小さくなっている。従って、底面及び開口４２ｃの面ともに長方形状をなしている。
【００２９】
凹部４２から下方向に少し間隔を隔てた湾曲部分５４に凹部４３が設けられている。凹部４３の底面には孔４１ａと長さが等しい孔４３ａ，４３ｂ，４３ｃが設けられている。凹部４３の側面の開口４３ｄの周縁部に対する勾配は、下方向に９°、６°、４．５°、３．５°、３°というように漸次的に小さくなっている。従って、底面及び開口４３ｄの面ともに長方形状をなしている。
【００３０】
凹部４３から下方向に少し間隔を隔てて、凹部４４が設けられている。凹部４４の底面には孔４１ａと長さが等しい孔４４ａ，４４ｂ，４４ｃ，４４ｄが設けられている。凹部４４の側面の開口４４ｅの周縁部に対する勾配は、凹部４３と同様に、下方向に漸次的に小さくなっている。従って、底面及び開口４４ｅの面ともに長方形状をなしている。
【００３１】
凹部４４から下方向に少し間隔を隔てて、凹部４５が設けられている。凹部４５の底面には孔４１ａと長さが等しい孔４５ａ，４５ｂ，４５ｃ，４５ｄが設けられている。凹部４５の側面の開口４５ｅの周縁部に対する勾配は、凹部４３と同様に、下方向に漸次的に小さくなっている。従って、底面及び開口４５ｅの面ともに長方形状をなしている。
【００３２】
図８は凹部４３を示す模式的斜視図、図９は凹部４３の模式的断面図、図１０Ａは凹部４３の正面図、図１０Ｂは図１０ＡのＢ−Ｂ線断面図、図１０Ｃは図１０ＡのＣ−Ｃ線断面図、図１０Ｄは図１０ＡのＤ−Ｄ線断面図である。
凹部４３は、図１０の細線で示すように、凹部４３の開口４３ｄの面の横幅が一定になり、孔４３ａ，４３ｂ，４３ｃの横幅が一定になるように、凹部４３の側面の上下方向位置に対応して、抜き勾配を決定した金型を用いて形成されている。すなわち、凹部４３は、側面の開口周縁部に対する勾配が下方向に次第に小さくなり、側面は、開口周縁部から孔の外面に向けて、開口４３ｄの面及び底面が長方形状をなすように傾斜することになる。
【００３３】
他の凹部４１、４２、４４、４５も同様に、開口面及び底面の横幅が均一になるように、側面の開口周縁部に対する勾配を側面の上下方向位置に応じて変えて形成されている。  従って、凹部４１間、凹部４２間、凹部４３間、凹部４４間、凹部４５間でそれぞれ、底面及び開口面の形状及び大きさを均一にすることができる。そして、本実施の形態に示すように、異なる凹部４１、４２、４３、４４、４５間で、孔４１ａ、４１ｂ、４２ａ、４２ｂ、・・・の形状及び大きさを均一にすることもできる。
【００３４】
なお、図５に示すように、凹部４１の列及び凹部４３の列には、底面の孔の配置が他と異なる部分があるが、このように、凹部の列内で一部の孔の配置を変えることにしてもよい。この場合も、凹部の開口面及び底面の横幅はそれぞれ均一にすることができる。
また、他の放熱部４６、４７、４８、４９、５０も傾斜面又は湾曲面に形成されている場合は、同様に、開口面及び底面の横幅が均一になるように、側面の開口周縁部に対する勾配を側面の上下方向位置に応じて変えて形成する。
【００３５】
以上のように構成された本実施の形態に係るＴＶ受信機１においては、傾斜部分５３又は湾曲部分５４に設ける凹部４１、４２、４３、４４、４５が、凹部４１の内壁の下面が上面より奥行き長さが長くなっており、側面が略台形状をなすので、水が浸入した場合に水は下面に留まり、内部への浸入が良好に抑制されている。
【００３６】
そして、底面及び開口面の横幅がそれぞれ一定であり、底面及び開口面が長方形状をなすので、ＬＥＤ基板等から生じる熱を、底面から開口面に向けて均一に放熱することができる。また、開口面が長方形状をなす凹部を平面部に設ける場合と同様に横方向のピッチを取ることができ、凹部を多数設けることができ、放熱効率が良好である。また、凹部の形状が均一であるので、外観が良好である。
さらに、一方向に傾斜する傾斜面のみならず、複雑な形状をなす曲面に対しても凹部の底面及び開口面の形状を崩すことなく、凹部を設けることができるので、より薄型感が得られるリアキャビネット４を設計することができる。
そして、平面、傾斜面、及び湾曲面のいずれの面に対しても凹部を設けることができるので、放熱部を設ける範囲に制限がなく、表示モジュール３の複数の発熱部分に対応して、リアキャビネット４に放熱部を設けることができ、放熱効率が向上する。
【００３７】
以上のように、本発明に係る筐体（リアキャビネット４）は、第１の開口（４ａ）を有し、該第１の開口に対向する底面（４ｂ）の外側に傾斜面（５３）又は湾曲面（５４）を有し、該傾斜面又は湾曲面に内側に凹んだ凹部（４１、４２、４３、４４、４５）を複数有し、該凹部の第２の底面に孔（４１ａ、４２ａ、４３ａ、４４ａ、４５ａ等）が設けられている筐体において、各凹部の周面は、該凹部の第２の開口（４１ｃ、４２ｃ、４３ｄ、４４ｅ、４５ｅ）の周縁部に対して傾斜しており、前記周面の前記周縁部に対する勾配は、前記周面の周方向位置に対応し、前記第２の開口と前記第２の底面との距離が短いほど、大きいことを特徴とする。
【００３８】
本発明においては、凹部の底面及び開口面の形状を同一にすることができる。従って、底面から開口面に向けて均一に放熱することができる。また、凹部の底面及び開口面の形状及び大きさを、横方向に並設する凹部間で均一にすることができ、並設ピッチを均一にすることができ、凹部を多数設けることができる。凹部の形状、大きさ、ピッチを最適化することができるので、平面及び傾斜面等の筐体のいずれの部分にも制限なく凹部を設けることができ、凹部の配置の自由度が高いことと相まって、放熱効率を向上させることができる。
そして、凹部の形状、大きさ等を均一にできるので、外観が良好である。また、一方向に傾斜する傾斜面のみならず、複雑な形状をなす湾曲面に対しても凹部の底面及び開口面の形状を崩すことなく、凹部を設けることができるので、より薄型感が得られる筐体を設計することができる。
【００３９】
本発明に係る筐体（４）は、前記第２の底面は前記第１の開口の面に略平行であることを特徴とする。
【００４０】
本発明においては、水の浸入がより良好に抑制される。
【００４１】
本発明に係る筐体（４）は、前記第２の開口の面及び底面は、矩形状をなすことを特徴とする。
【００４２】
本発明においては、底面及び開口面が矩形状をなし、底面及び開口面の横幅がそれぞれ均一になるので、凹部が延びる方向に均一に放熱することができる。そして、凹部を縦横に有効に並設することができ、放熱効率がより良好になり、外観がより良好になる。
【００４３】
本発明に係る表示装置は、表示部（３）と、該表示部を覆う上述のいずれかの筐体（４）とを備えることを特徴とする。
【００４４】
本発明においては、薄型化、大型化を図るために複雑な底面形状を有する表示装置の筐体の放熱性及び外観を良好にすることができる。
【００４５】
本発明に係るＴＶ受信機（１）は、上述の表示装置と、テレビジョン放送を受信する受信部（７）とを備え、前記受信部にて受信したテレビジョン放送に基づいて、前記表示装置に映像を表示するようにしてあることを特徴とする。
【００４６】
本発明においては、薄型化、大型化が図られ、複雑な底面形状を有するＴＶ受信機の筐体の放熱性及び外観を良好にすることができる。
【００４７】
今回開示された実施の形態は、全ての点で例示であって、制限的なものではないと考えるべきである。本発明の範囲は、上述した意味ではなく、特許請求の範囲と均等の意味及び特許請求の範囲内での全ての変更が含まれることが意図される。
【００４８】
例えば、前記実施の形態においては、凹部（４１、４２、４３、４４、４５）の開口面及び底面が長方形状をなす場合につき説明しているがこれに限定されるものではなく、凹部の開口面及び底面は他の形状を有することができる。いずれの形状であっても、本発明によれば、凹部の開口面及び底面の形状及び大きさを凹部間で均一にすることができる。
【００４９】
また、前記実施の形態においては、本発明の筐体をＴＶ受信機のリアキャビネット４に適用した場合につき説明しているがこれに限定されるものではなく、本発明は、他の電気機器等の発熱体を覆う筐体に適用することが可能である。
【符号の説明】
【００５０】
１  ＴＶ受信機
２  フロントキャビネット
３  表示モジュール
３１  表示パネル
４  リアキャビネット
４ａ  開口
４ｂ  底面
４ｃ  側面
４０、４６、４７、４８、４９、５０  放熱部
４１、４２、４３、４４、４５  凹部
４１ａ、４１ｂ、４２ａ、４２ｂ、４３ａ、４３ｂ、４３ｃ、４４ａ、４４ｂ、４４ｃ、４４ｄ、４５ａ、４５ｂ、４５ｃ、４５ｄ  孔
４１ｃ、４２ｃ、４３ｄ、４４ｅ、４５ｅ  開口
５３  傾斜部分
５４  湾曲部分
６  スタンド
７  チューナ
８  デコーダ
【図１】
0005646689.tif 000002
【図２】
0005646689.tif 000003
【図３】
0005646689.tif 000004
【図４】
0005646689.tif 000005
【図５】
0005646689.tif 000006
【図６】
0005646689.tif 000007
【図７】
0005646689.tif 000008
【図８】
0005646689.tif 000009
【図９】
0005646689.tif 000010
【図１０】
0005646689.tif 000011
【図１１】
0005646689.tif 000012
【図１２】
0005646689.tif 000013
【図１３】
0005646689.tif 000014
【図１４】
0005646689.tif 000015